(57)【要約】【課題】本発明は、撮像装置側でユーザにより画像ファイルに付加された任意の簡易アイコンに応じて、画像処理装置側でユーザが望む新たな情報を画像ファイルに付加することができる画像管理システムを提供する。【解決手段】デジタルカメラ１０５では、撮影時または撮影後に、画像ファイルにユーザにより設定された簡易アイコンが付加される。そして、ＰＣ１００では、画像ファイルに付加された簡易アイコンに対して意味付けを行った対応リストが作成され、デジタルカメラ１０５から取り込んだ画像ファイルに付加されている記号情報に、その対応リストで意味付けされた新たな情報が上書きまたは新規追加される。【選択図】図８
2009159091.tif 000002
【特許請求の範囲】
【請求項１】
撮影した画像と撮影情報を画像ファイルとして記憶する撮像装置と、前記撮像装置に接続可能な画像処理装置とで構成される画像管理システムにおいて、
前記撮像装置は、撮影時又は撮影後に、前記画像ファイルにユーザにより設定された記号情報を付加する付加手段を備え、
前記画像処理装置は、前記記号情報に対して意味付けを行った対応リストを作成する作成手段と、
前記撮像装置から取り込んだ画像ファイルに付加されている記号情報に、前記対応リストで意味付けされた新たな情報を上書きまたは新規追加する制御手段とを備えることを特徴とする画像管理システム。
【請求項２】
前記付加手段は、前記記号情報に対応するタグを前記画像ファイルの撮影情報に付加することを特徴とする請求項１記載の画像管理システム。
【請求項３】
前記制御手段は、前記撮影情報に付加されたタグに前記対応リストで意味付けされた新たな情報を上書きするかまたは前記撮影情報に前記新たな情報を新規追加することを特徴とする請求項２記載の画像管理システム。
【請求項４】
前記撮像装置は、前記画像ファイルに付加する記号情報を、撮影前、撮影時または撮影後のいずれかのタイミングで前記ユーザに設定させる設定手段を更に備えることを特徴とする請求項１乃至３のいずれか１項に記載の画像管理システム。
【請求項５】
前記画像処理装置は、前記撮像装置から前記画像ファイルを取り込む際に、前記画像ファイルに付加されている記号情報を検出する検出手段を更に備え、
前記制御手段は、前記検出された記号情報に前記対応リストで意味付けされた新たな情報としてキーワードを上書き若しくは新規追加することを特徴とする請求項１乃至４のいずれか１項に記載の画像管理システム。
【請求項６】
前記検出手段は、前記撮像装置から前記画像ファイルを取り込む際に、前記撮像装置内の全ての画像ファイルに対して前記記号情報の検出を行うことを特徴とする請求項５記載の画像管理システム。
【請求項７】
前記検出手段は、前記撮像装置から前記画像ファイルを取り込む際に、取り込んだ一つ一つの画像ファイルに対して前記記号情報の検出を行うことを特徴とする請求項５記載の画像管理システム。
【請求項８】
前記画像処理装置は、前記記号情報のデータを保持する保持手段と、前記記号情報のデータを前記保持手段または前記撮像装置から取得する記号情報取得手段とを更に備えることを特徴とすることを特徴とする請求項１乃至７のいずれか１項に記載の画像管理システム。
【請求項９】
前記作成手段は、前記対応リストの作成時に前記記号情報に意味付けされた新たな情報を保持し、当該記号情報に対して新たな意味付けが行われる場合には、前記保持された情報を表示し、当該記号情報に再設定可能にすることを特徴とする請求項１乃至８のいずれか１項に記載の画像管理システム。
【請求項１０】
前記作成手段は、一つの記号情報に対して複数の条件を設定し、当該設定された条件毎に意味付けを行った対応リストを作成することを特徴とする請求項１乃至９のいずれか１項に記載の画像管理システム。
【請求項１１】
前記条件には、撮影日時を含む撮影情報、前記撮像装置側で付加できるお気に入り度、ＧＰＳによる位置情報、カメラ機種名、所有者名の少なくとも１つが含まれることを特徴とする請求項１０記載の画像管理システム。
【請求項１２】
前記記号情報は、意味を成さない汎用的な簡易アイコンで構成されることを特徴とする請求項１乃至１１のいずれか１項に記載の画像管理システム。
【請求項１３】
撮影した画像と撮影情報を画像ファイルとして記憶する撮像装置と、前記撮像装置に接続可能な画像処理装置とで構成される画像管理システムの画像管理方法において、
撮影時または撮影後に、前記画像ファイルにユーザにより設定された記号情報を付加する付加工程と、
前記記号情報に対して意味付けを行った対応リストを作成する作成工程と、
前記撮像装置から取り込んだ画像ファイルに付加されている記号情報に、前記対応リストで意味付けされた新たな情報を上書きまたは新規追加する制御工程とを備えることを特徴とする画像管理方法。
【請求項１４】
前記付加工程は、前記記号情報に対応するタグを前記画像ファイルの撮影情報に付加することを特徴とする請求項１３記載の画像管理方法。
【請求項１５】
前記制御工程は、前記撮影情報に付加されたタグに前記対応リストで意味付けされた新たな情報を上書きするかまたは前記撮影情報に前記新たな情報を新規追加することを特徴とする請求項１４記載の画像管理方法。
【請求項１６】
前記画像ファイルに付加する記号情報を、撮影前、撮影時または撮影後のいずれかのタイミングで前記ユーザに設定させる設定工程を更に備えることを特徴とする請求項１３乃至１５のいずれか１項に記載の画像管理方法。
【請求項１７】
前記撮像装置から前記画像ファイルを取り込む際に、前記画像ファイルに付加されている記号情報を検出する検出工程を更に備え、
前記制御工程は、前記検出された記号情報に前記対応リストで意味付けされた新たな情報としてキーワードを上書き若しくは新規追加することを特徴とする請求項１３乃至１６のいずれか１項に記載の画像管理方法。
【請求項１８】
前記検出工程は、前記撮像装置から前記画像ファイルを取り込む際に、前記撮像装置内の全ての画像ファイルに対して前記記号情報の検出を行うことを特徴とする請求項１７記載の画像管理方法。
【請求項１９】
前記検出工程は、前記撮像装置から前記画像ファイルを取り込む際に、取り込んだ一つ一つの画像ファイルに対して前記記号情報の検出を行うことを特徴とする請求項１７記載の画像管理方法。
【請求項２０】
前記記号情報のデータを保持する保持工程と、前記記号情報のデータを前記保持工程または前記撮像装置から取得する記号情報取得工程とを更に備えることを特徴とすることを特徴とする請求項１３乃至１９のいずれか１項に記載の画像管理方法。
【請求項２１】
前記作成工程は、前記対応リストの作成時に前記記号情報に意味付けされた新たな情報を保持し、当該記号情報に対して新たな意味付けが行われる場合には、前記保持された情報を表示し、当該記号情報に再設定可能にすることを特徴とする請求項１３乃至２０のいずれか１項に記載の画像管理方法。
【請求項２２】
前記作成工程は、一つの記号情報に対して複数の条件を設定し、当該設定された条件毎に意味付けを行った対応リストを作成することを特徴とする請求項１３乃至２１のいずれか１項に記載の画像管理方法。
【請求項２３】
前記条件には、撮影日時を含む撮影情報、前記撮像装置側で付加できるお気に入り度、ＧＰＳによる位置情報、カメラ機種名、所有者名の少なくとも１つが含まれることを特徴とする請求項２２記載の画像管理方法。
【請求項２４】
前記記号情報は、意味を成さない汎用的な簡易アイコンで構成されることを特徴とする請求項１３乃至２３のいずれか１項に記載の画像管理方法。
【請求項２５】
請求項１３乃至２４のいずれか１項に記載の画像管理方法をコンピュータに実行させるためのコンピュータに読み取り可能なプログラム。
【請求項２６】
請求項１３乃至２４のいずれか１項に記載の画像管理方法をコンピュータに実行させるためのプログラムを記憶した記憶媒体。
【発明の詳細な説明】
【技術分野】
【０００１】
本発明は、撮像装置と画像処理装置とを備える画像管理システムに関し、特に、撮像装置側で画像ファイルに付加された情報に基づいて、画像処理装置側で新たな情報を付加することができる画像管理システム及び方法、プログラム、並びに記憶媒体に関する。
【背景技術】
【０００２】
近年、デジタルカメラは、初心者から上級者まで幅広い層で使われている。デジタルカメラで撮影された画像には、デジタルカメラの設定等が含まれた情報が付加される。撮影者は、撮影後にデジタルカメラ上で、またはパーソナルコンピュータ（ＰＣ）等の画像処理装置にインストールされた画像管理アプリケーションなどにより、画像に付加された情報を参照することができる。
【０００３】
しかしながら、従来のデジタルカメラは予め決められた情報のみを画像に付加するので、撮影者が望む情報とデジタルカメラ側で付加される情報とが一致するとは限らない。
【０００４】
そこで、撮影者が望む情報を付加する方法として、予めＰＣ側で情報を記録媒体に登録しておき、デジタルカメラ側で、その記録媒体に画像が記録されると、登録された情報を画像に付加する技術が提案されている（例えば、特許文献１参照）。また、撮像装置にタッチパネルを実装し、画像再生時に画面上に予め作成したアイコンを表示し、そのアイコンをタッチすると当該アイコンに関連付けられている個人情報等を識別情報として付加する技術が提案されている（例えば、特許文献２参照）。
【特許文献１】特開２００１−０７５８４６号公報
【特許文献２】特開平１１−１４６３１７号公報
【発明の開示】
【発明が解決しようとする課題】
【０００５】
しかしながら、上記特許文献１では、予め撮影前に記録媒体に情報を登録するといった情報を付加するための作業が必要となるため、これらの作業を行った後に撮影を行う場合しか考慮されていない。具体的には、撮影前に記録媒体に情報を登録せずに所望の情報が画像に付加されなかった場合や、記録媒体に情報を登録したが登録した情報に適さない撮影を行った場合などである。
【０００６】
一方、上記特許文献２では、ＰＣや撮像装置でアイコンを作成し、それを撮像装置にて付加する方法が開示されているが、撮像装置からＰＣに画像を取り込んだ後では、情報の付加及び変更ができない。また、撮像装置内に、これらのアイコンを記録する領域を確保しなければならないため、撮像装置のコスト増を招いてしまう。
【０００７】
本発明は、上記問題に鑑みて、撮像装置側でユーザにより画像ファイルに付加された任意の簡易アイコンに応じて、画像処理装置側でユーザが望む新たな情報を画像ファイルに付加することができる画像管理システムを提供することを目的とする。また、本発明は、その画像管理方法、プログラム、及び記憶媒体を提供することを目的とする。
【課題を解決するための手段】
【０００８】
上記目的を達成するために、請求項１記載の画像管理システムは、撮影した画像と撮影情報を画像ファイルとして記憶する撮像装置と、前記撮像装置に接続可能な画像処理装置とで構成される画像管理システムにおいて、前記撮像装置は、撮影時または撮影後に、前記画像ファイルにユーザにより設定された記号情報を付加する付加手段を備え、前記画像処理装置は、前記記号情報に対して意味付けを行った対応リストを作成する作成手段と、前記撮像装置から取り込んだ画像ファイルに付加されている記号情報に、前記対応リストで意味付けされた新たな情報を上書きまたは新規追加する制御手段とを備えることを特徴とする。
【０００９】
上記目的を達成するために、請求項１３記載の画像管理システムの画像管理方法は、撮影した画像と撮影情報を画像ファイルとして記憶する撮像装置と、前記撮像装置に接続可能な画像処理装置とで構成される画像管理システムの画像管理方法において、撮影時または撮影後に、前記画像ファイルにユーザにより設定された記号情報を付加する付加工程と、前記記号情報に対して意味付けを行った対応リストを作成する作成工程と、前記撮像装置から取り込んだ画像ファイルに付加されている記号情報に、前記対応リストで意味付けされた新たな情報を上書きまたは新規追加する制御工程とを備えることを特徴とする。
【発明の効果】
【００１０】
本発明によれば、撮像装置側でユーザにより画像ファイルに付加された任意の簡易アイコンに応じて、画像処理装置側でユーザが望む新たな情報を画像ファイルに付加することができる。
【発明を実施するための最良の形態】
【００１１】
以下、本発明の実施の形態を図面を参照して詳細に説明する。
【００１２】
［第１の実施形態］
図１は、本発明の第１の実施形態に係る画像管理システムの全体構成を示す図である。
【００１３】
図１において、本画像管理システムは、画像処理装置としてのパーソナルコンピュータ（以下、単「ＰＣ」と略する。）１００と、撮像装置としてのデジタルカメラ１０５とで構成される。ＰＣ１００は、画像の管理や画像処理等を含む各種制御処理を行うことが可能なコンピュータ本体１０１、表示装置としてのディスプレイ１０２、ポインティングデバイスであるマウス１０３、及びキーボード１０４を備える。コンピュータ本体１０１には、デジタルカメラ１０５、外付けハードディスクなどの外部記憶装置１０６が接続可能である。
【００１４】
図２は、図１の画像管理システムにおけるソフトウェア及びハードウェアを含む構成図である。
【００１５】
図２において、ハードウェア２０１は図１の画像管理システムのハードウェア構成であり、オペレーティングシステム（ＯＳ）２０２はハードウェア２０１上で動作するＯＳである。アプリケーションソフトウェア２０３は、ＯＳ２０２上で動作するソフトウェアである。記憶装置２０４は、コンピュータ本体１０１に内蔵され、ファイルやデータを物理的に格納するハードディスクやＣＤ−ＲＷなどで構成される。なお、ハードウェア２０１を構成する要素として、例えば、ハードウェアでは不図示のＣＰＵ（Central Processing Unit）、ＲＡＭ（Random Access Memory）やＲＯＭ（Read Only Memory）のメモリがある。また、ＯＳ２０２を構成する要素として、メモリ管理システム（不図示）等がある。
【００１６】
ファイル管理システム２２１は、ＯＳ２０２を構成するファイル管理システムであり、アプリケーションソフトウェア２０３がハードウェア２０１を意識せずにファイルの入出力を行えるようにする機能がある。ディスクＩ／Ｏインターフェース２１１は、ファイル管理システム２２１が記憶装置２０４へのファイル等の読み書きを行うためのインターフェース（Ｉ／Ｆ）である。
【００１７】
描画管理システム２２２は、ＯＳ２０２を構成する描画管理システムであり、アプリケーションソフトウェア２０３がハードウェア２０１を意識せずに描画を行えるようにする機能がある。ビデオインターフェース２１２は、描画管理システム２２２がディスプレイ１０２に描画を行うためのＩ／Ｆである。
【００１８】
入出力デバイス管理システム２２３は、ＯＳ２０２を構成する入出力デバイス管理システムであり、アプリケーションソフトウェア２０３がハードウェア２０１を意識せずに撮影者の入力やアプリケーションからの出力を受け取ることができるようにする機能がある。ＵＳＢインターフェース２１３は、入出力デバイス管理システム２２３がキーボード１０４やマウス１０３などの入力、デジタルカメラ１０５への入出力、更には外部記憶装置１０６などの入出力を一括して管理することができるＵＳＢ Ｉ／Ｆである。
【００１９】
画像ファイル管理システム２３１は、アプリケーションソフトウェア２０３の中の画像管理を目的としたアプリケーションの一つである。
【００２０】
図３は、図１のデジタルカメラ１０５の概略構成を示すブロック図である。
【００２１】
図３において、デジタルカメラ１０５は、ＣＰＵ３０１、ＲＯＭ３０２、ＲＡＭ３０３、表示部としてのＬＣＤ（Liquid Crystal Display）３０４、シャッターボタンや操作ボタン等を含む操作部３０５を備える。また、デジタルカメラ１０５は、メモリカード等の記憶媒体に接続するためのＩ／Ｆ３０６、及びＣＣＤ（Charge Coupled Device）３０７を備える。また、デジタルカメラ１０５は、これら各部を接続するシステムバス３０９を備える。記憶媒体３０８は、Ｉ／Ｆ３０６に接続され、デジタルカメラ１０５に装着されたメモリカード等の記憶媒体である。
【００２２】
次に、デジタルカメラ１０５における画像ファイルへの簡易アイコン付加の流れを図４を参照して説明する。
【００２３】
図４は、デジタルカメラ１０５における画像ファイルへの簡易アイコン付加の流れを示すフローチャートである。
【００２４】
まず、撮影者がデジタルカメラ１０５で撮影を行う（ステップＳ４０１）。このとき、デジタルカメラ１０５内のＣＰＵ３０１は、撮影した画像を画像ファイルとして記憶媒体３０８に記憶する。
【００２５】
次に、撮影後に、記憶媒体３０８に記憶された画像ファイルをＬＣＤ３０４に再生表示した際に、当該画像ファイルに対して簡易アイコンの付加を行う（ステップＳ４０２）。このとき、デジタルカメラ１０５内のＣＰＵ３０１は、撮影者により設定された簡易アイコンを画像ファイルに付加する処理を実行する。簡易アイコンは、特定の意味を成さない汎用的な記号情報であり、例えば、ダイヤ、ハート、スペード等が含まれる。
【００２６】
なお、簡易アイコンを付加するタイミングについては、撮影時または撮影後に、画像がＬＣＤ３０４に表示された際に付加してもよいが、撮影前に簡易アイコンを予め設定しておき、その設定に従って付加してもよい。また、撮影前に簡易アイコンを設定して撮影時に画像ファイルに付加したとしても、撮影後に簡易アイコンを変更することができる構成であってもよい。
【００２７】
図５は、画像ファイルへの簡易アイコン付加の流れを示す概念図である。
【００２８】
図５において、液晶画面４０２は、デジタルカメラ１０５の背面に設けられたＬＣＤ３０４に表示される液晶画面である。デジタルカメラ１０５で撮影が行われる際には、操作部３０５が操作されて液晶画面４０２上で撮影時の各種設定が行われる。
【００２９】
また、液晶画面４０２には、いわゆるファインダー機能により画像が表示されると共に、設定された撮影時の各種設定がテキスト若しくはアイコンで表示される。図示例では、液晶画面４０２の左上には、撮影する画像の圧縮率を示すアイコン４０３ａが表示され、左下には、撮影する画像のサイズを示すテキスト４０３ｂが表示されている。また、右上には、画像ファイルに付加する簡易アイコン４０３ｃが表示され、右下には、デジタルカメラ１０５の残撮影枚数を示すテキスト４０３ｄが表示されている。
【００３０】
撮影後に、液晶画面４０２上に再生表示された画像に対して簡易アイコン４０３ｃが付加されると、対応リスト４０７に基づいて、当該画像ファイルの撮影情報に簡易アイコン４０３ｃに対応するタグ（Ｔａｇ）が付加される。対応リスト４０７（第１の対応リスト）は、Ｔａｇと簡易アイコン（Symbol）との対応関係を示すものであり、ＲＯＭ３０２等に予め記憶されている。
【００３１】
画像ファイル４０８は、撮影情報等を格納しているヘッダー４０４と、画像本体が格納されている画像４０５とで構成される。ヘッダー４０４に格納されている撮影情報の一例が撮影情報４０６である。撮影情報４０６には、図示のように、ファイル名（File Name）や、カメラ名（Camera Name）、撮影日時（Shooting Date/Time）等が格納されており、画像ファイルに簡易アイコンが付加されると、図示のように、撮影情報４０６にＴａｇが追加される。
【００３２】
Ｔａｇは、液晶画面４０２上では簡易アイコン４０３ｃとしてダイヤのマークで表示されるが、撮影情報内では１という数値で格納される。この数値が撮影情報４０６に格納された画像ファイル４０８は、ＣＰＵ３０１により記憶媒体３０８に記録される。
【００３３】
次に、デジタルカメラ１０５から画像ファイルを取り込む際のＰＣ１００の動作処理について説明する。
【００３４】
図６は、ＰＣ１００における対応リストの作成処理を示すフローチャートである。本処理は、ＰＣ１００にデジタルカメラ１０５を接続してデジタルカメラ１０５からＰＣ１００に画像ファイルを取り込む前に、画像ファイルに付加された簡易アイコンに対して意味付けを行った対応リスト（第２の対応リスト）を作成する処理（作成手段）である。
【００３５】
図６において、ユーザがＰＣ１００上で画像ファイル管理システム２３１を起動すると、コンピュータ本体１０１内のＣＰＵ（不図示）は、後述する対応リスト設定ダイアログをディスプレイ１０２に表示する（ステップＳ６０１）。
【００３６】
次に、ユーザがディスプレイ１０２に表示された対応リスト設定ダイアログ上で、簡易アイコンに対応する新たな情報としてキーワードを設定すると、後述するＴａｇとキーワード（Keyword）との対応関係を示す対応リストをＣＰＵが作成する。そして、作成した対応リストの新規登録または追加登録を行う（ステップＳ６０２）。新規登録または追加登録する対応リストは記憶装置２０４に記憶される。
【００３７】
なお、本実施の形態では、画像ファイルの取り込み前に予め対応リストを作成する場合について説明したが、画像ファイルの取り込み時に画像を確認しながら対応リストの作成を行うように構成してもよい。
【００３８】
図７は、図６のステップＳ６０１でディスプレイ１０２に表示される対応リスト設定ダイアログの一例を示す図である。
【００３９】
図７において、対応リスト設定ダイアログ６０１は、上述したＴａｇとキーワードとの対応関係を示す対応リストを設定するためのダイアログであって、ＰＣ１００のディスプレイ１０２に表示される。エリア６０２は、デジタルカメラ側で画像ファイルに対して設定可能な簡易アイコンの一覧を表示するエリアである。この一覧表示については、ＰＣ１００が簡易アイコンのデータを予め保持しておいてもよいし（保持手段）、デジタルカメラ１０５と通信を行ってそのデータを取得してもよい（記号情報取得手段）。
【００４０】
エリア６０３は、画像ファイルに付加された簡易アイコンに上書きまたは新規追加する新たな情報（キーワード）を設定させるためのエリアである。プルダウンメニュー６０４は、選択された簡易アイコンに設定されたキーワードの履歴を表示するプルダウンメニューである。対応リストの作成時にユーザが簡易アイコンに対して新しいキーワードを設定した場合、以前に設定された古いキーワードに上書きされるのではなく、新しいキーワードと共に古いキーワードも保持される。このように、簡易アイコンに対して以前に設定されたキーワードをプルダウンメニュー６０４から選択して再設定可能に構成することで、撮影者に再度キーワードを入力させる手間を除くことができる。
【００４１】
上述した設定が終わった後に設定ボタン６０５がクリックされると、図９に示すような対応リスト５０７が作成される。対応リストの設定後にコンピュータ本体１０１に取り込まれた画像ファイルには、対応リストに基づき情報（キーワード）が付加されることになる。
【００４２】
図８は、ＰＣ１００における画像ファイルの取り込み時の処理を示すフローチャートである。
【００４３】
コンピュータ本体１０１内のＣＰＵは、デジタルカメラ１０５からの画像ファイルの取り込み時に（ステップＳ８０１）、図６のステップＳ６０２で作成された対応リストに基づいて、画像ファイルに新しい撮影情報を付加する処理を行う（ステップＳ８０２）。この処理の詳細については後述する。
【００４４】
次に、ＣＰＵは、デジタルカメラ１０５からの画像ファイルの取り込みが終了した否かを確認し（ステップＳ８０３）、終了していないときはステップＳ８０１へ戻って、画像ファイルの取り込み処理を行う一方、終了したときは本処理を終了する。
【００４５】
図９は、図８の画像ファイルの取り込み時の流れを示す概念図である。
【００４６】
５００は、画像ファイル管理システム２３１によりディスプレイ１０２に表示された画像ファイルの表示画面である。表示画面５００には、ＰＣ１００上でユーザにより選ばれた画像ファイルの画像を表示するエリア５０１と、画像ファイルの撮影情報を表示するエリア（Shooting Info）５０２とを備える。
【００４７】
デジタルカメラ１０５からコンピュータ本体１０１に画像ファイルが取り込まれた後に、エリア５０２に図５に示す撮影情報４０６をそのまま表示すると、Ｔａｇには１というあまり意味の成さない数値のみが表示される。このままだと撮影者にとって不明な撮影情報となってしまう。そこで、コンピュータ本体１０１内のＣＰＵは、図６の処理により作成された対応リスト５０７に基づき、画像ファイルの取り込み時にＴａｇにキーワードを関連付けて、撮影情報の上書きまたは撮影情報に対する新規追加を行う。図９の撮影情報５０３は上書きされた場合の撮影情報であり、撮影情報５０５が新規追加された場合の撮影情報である。
【００４８】
撮影情報が上書きされた場合、Ｔａｇには１では無く、対応リスト５０７で１に対応づいていた「Ｔｒａｖｅｌ」という文字列がＴａｇに格納される。一方、撮影情報に対する新規追加の場合は、図示のように、撮影情報５０５の列の最後に「Ｎｅｗ  Ｉｎｆｏ」、「Ｔｒａｖｅｌ」という形式で格納される。なお、新規追加の場合、撮影情報５０５のように、Ｔａｇには１が格納されたままになっていることから、エリア５０２には、撮影情報に新しく追加された情報５０６のみを表示し、撮影情報５０５を表示しない構成であってもよい。
【００４９】
対応リスト設定ダイアログ６０１を表示して対応リスト５０７を作成若しくは修正／変更させるタイミングについては、上述したように、画像ファイルの取り込み前であってもよい。また、画像ファイルの取り込み開始後に画像ファイルに付加されて簡易アイコンを検出した時点であってもよい。
【００５０】
前者の方法は、検出した画像ファイルの簡易アイコンに対し、対応リストに基づいて当該簡易アイコンに新たな情報を上書き若しくは新規追加すればよい場合には有効である。一方、後者の方法は、検出した簡易アイコン及び画像を確認しながら対応リストを作成したい場合や、画像ファイルの内容に応じて対応リストの修正／変更したい場合には有効である。
【００５１】
後者の方法では、画像ファイルの取り込み時に簡易アイコンを検出する度に対応リスト設定ダイアログ６０１が表示されてしまう。そこで、コンピュータ本体１０１内のＣＰＵは、デジタルカメラ１０５から画像ファイルを取り込む前に、デジタルカメラ内の全ての画像ファイルに対して簡易アイコンの検出を行う。そして、簡易アイコンが付加されている画像ファイルがある場合は、その画像及び簡易アイコンを一括表示して、対応リストを修正／変更させてもよい。画像ファイルの取り込み前にＰＣ１００のディスプレイ１０２に表示する確認ダイアログの一例を図１０に示す。
【００５２】
図１０において、確認ダイアログ７０１は、画像ファイルの取り込み前にＰＣ１００のディスプレイ１０２に表示されるダイアログである。確認ダイアログ７０１には、コンピュータ本体１０１内のＣＰＵが、デジタルカメラ１０５内の画像ファイルから画像ファイルに付加された簡易アイコンを検出した場合に表示される。コンピュータ本体１０１内のＣＰＵは、デジタルカメラ１０５から画像ファイルを取り込む際に、取り込んだ一つ一つの画像ファイルに対して簡易アイコンの検出を行う。簡易アイコン付きの画像ファイルは、確認ダイアログ７０１上のエリア７０２にその画像が表示される。
【００５３】
確認ダイアログ７０１上のエリア７０３には、設定された簡易アイコンとキーワードとの対応関係を示す対応リストが表示される。ここで撮影者は、画像ファイルに付加された簡易アイコンと該簡易アイコンに上書きまたは新規追加される新たな情報（キーワード）の確認を行うことができる。エリア７０３に表示された対応リストが撮影者の望むものでない場合、更新ボタン７０４をクリックすると、コンピュータ本体１０１内のＣＰＵがディスプレイ１０２に図７の対応リスト設定ダイアログ６０１を表示する。そして、撮影者が対応リストの修正／変更を行うことができる。
【００５４】
一方、エリア７０３に表示された対応リストで問題ないと撮影者が判断すれば、取り込み開始ボタン７０５をクリックする。その結果、デジタルカメラ１０５からＰＣ１００への画像ファイルの取り込みが開始されると共に、取り込まれた画像ファイルに対して、確認ダイアログ７０１上に表示された対応リストに基づく情報（キーワード）が付加される。
【００５５】
上記第１の実施形態によれば、デジタルカメラ１０５では、撮影時または撮影後に、画像ファイルにユーザにより設定された簡易アイコンが付加される。そして、ＰＣ１００では、画像ファイルに付加された簡易アイコンに対して意味付けを行った対応リストが作成される。さらに、デジタルカメラ１０５から取り込んだ画像ファイルに付加されている記号情報に、その対応リストで意味付けされた新たな情報が上書きまたは新規追加される。これにより、撮像装置側でユーザにより画像ファイルに付加された任意の簡易アイコンに応じて、画像処理装置側でユーザが望む新たな情報を画像ファイルに付加することができる。その結果、デジタルカメラから画像処理装置に取り込んだ画像ファイルの識別や管理をユーザが容易に行うことができる。
【００５６】
［第２の実施形態］
本発明の第２の実施の形態に係る画像管理システムは、その構成（図１〜図２）が上記第１の実施の形態に係る画像管理システムと同じであり、上記第１の実施の形態と同様の部分については、同一の符号を用いてその説明を省略する。以下に、上記第１の実施の形態と異なる点のみを説明する。
【００５７】
上記第１の実施形態では、図７に示すように、一つの簡易アイコンに対して、一つのキーワードを設定する形態について説明した。しかしながら、一つの簡易アイコンに対して、異なる複数のキーワードを設定したい場合がある。例えば、１泊２日の旅行に行き、初日は箱根で、２日目は鎌倉で過ごした場合に、この間で撮影した画像全てに「旅行」というひとくくりのキーワードを設定するのではなく、１日目は「箱根」、２日目は「鎌倉」というように、撮影日によって分けたい場合である。このように、一つの簡易アイコンに複数のキーワードを設定する方法の一例を図１１に示す。
【００５８】
図１１において、対応リスト設定ダイアログ８０１は、第２の実施の形態における対応リスト設定ダイアログである。エリア８０２は、上記第１の実施形態におけるエリア６０２と同様に、デジタルカメラ側で画像ファイルに対して設定可能な簡易アイコンの一覧表示するエリアである。エリア８０３は、一つの簡易アイコンに対して設定された各条件を表示するエリアである。エリア８０４は、エリア８０３で設定された条件を満たす簡易アイコンに上書きまたは新規追加する新たな情報（キーワード）を設定させるためのエリアである。
【００５９】
図示の対応リスト設定ダイアログ８０１では、エリア８０３の１行目に「２００６．０９．３０」が表示されている。この場合、例えば、図示のダイヤの簡易アイコンが付加された画像ファイルであって撮影日が２００６年９月３０日という条件の画像ファイルには、「Ｈａｋｏｎｅ」という情報が付加される。同様に、図示のダイヤの簡易アイコンに対してエリア８０３にて「２００６．１０．０１」（２行目）が設定されている場合は、撮影日が２００６年１０月１日という条件の画像ファイルに「Ｋａｍａｋｕｒａ」という情報が付加される。また、エリア８０３の３行目に示すように、「Others」という条件が設定された場合、上述した１行目、２行目に設定された条件以外の条件の場合には、画像ファイルに「Ｔｒａｖｅｌ」という情報が付加されるように設定されている。そして、設定ボタン８０５をクリックすると対応リストが更新される。
【００６０】
このように、一つの簡易アイコンに対して複数の条件を設定し、設定された条件毎に意味付けを行った対応リストを作成する。そして、デジタルカメラ１０５から取り込んだ画像ファイルに付加されている簡易アイコンに、当該対応リストで意味付けされた新たな情報（キーワード）をそれぞれ上書きまたは新規追加することが可能となる。
【００６１】
エリア８０３の４行目には、スペードの簡易アイコンに対して「Nothing」が表示されている。これは、特定の簡易アイコンに対して条件無しとすることを意味し、図７に示した対応リスト設定ダイアログ６０１と同様に、一つの簡易アイコンに対して、一つのキーワードを設定する場合に対応している。
【００６２】
簡易アイコンに設定する条件は、撮影日時を代表とするデジタルカメラで標準に付加される撮影情報でもよいし、ＧＰＳ（Global Positioning System）による位置情報、デジタルカメラ側で付加できるお気に入り度などの情報であってもよい。また、簡易アイコンに設定する条件は、カメラ機種名や所有者名であってもよい。
【００６３】
上記第２の実施の形態によれば、上記第１の実施形態における効果に加えて、よりユーザに使い勝手のよい画像管理システムを提供することが可能となる。
【００６４】
上記第１、第２の実施の形態では、撮像装置としてデジタルカメラを用いるが、これに限らず、後述する簡易アイコンを付加する画像入力機器であればどのような機器を用いてもよい。また、新たな情報としてキーワードを例示したが、これに限定されず、簡易アイコンに意味付けが行える情報であれば、どのようなものでもよい。
【００６５】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【００６６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６９】
【図１】本発明の第１の実施形態に係る画像管理システムの全体構成を示す図である。
【図２】図１の画像管理システムにおけるソフトウェア及びハードウェアを含む構成図である。
【図３】図１のデジタルカメラ１０５の概略構成を示すブロック図である。
【図４】デジタルカメラ１０５における画像ファイルへの簡易アイコン付加の流れを示すフローチャートである。
【図５】画像ファイルへの簡易アイコン付加の流れを示す概念図である。
【図６】ＰＣ１００における対応リストの作成処理を示すフローチャートである。
【図７】図６のステップＳ６０１でディスプレイ１０２に表示される対応リスト設定ダイアログの一例を示す図である。
【図８】ＰＣ１００における画像ファイルの取り込み時の処理を示すフローチャートである。
【図９】図８の画像ファイルの取り込み時の流れを示す概念図である。
【図１０】画像ファイルの取り込み前にＰＣ１００のディスプレイ１０２に表示する確認ダイアログの一例を示す図である。
【図１１】本発明の第２の実施形態に係る画像管理システムで表示される対応リスト設定ダイアログの一例を示す図である。
【符号の説明】
【００７０】
１００  パーソナルコンピュータ（ＰＣ）
１０１  コンピュータ本体
１０２  ディスプレイ
１０５  デジタルカメラ
４０３ｃ  簡易アイコン
４０６  撮影情報
４０７  対応リスト
４０８  画像ファイル
６０１  対応リスト設定ダイアログ
【図１】
2009159091.tif 000003
【図２】
2009159091.tif 000004
【図３】
2009159091.tif 000005
【図４】
2009159091.tif 000006
【図５】
2009159091.tif 000007
【図６】
2009159091.tif 000008
【図７】
2009159091.tif 000009
【図８】
2009159091.tif 000010
【図９】
2009159091.tif 000011
【図１０】
2009159091.tif 000012
【図１１】
2009159091.tif 000013